(57)【要約】      （修正有）【課題】展開状態から折畳み状態、または折畳み状態から展開状態への移行を簡単にすばやく行うことができると共に、採尿容器として用いられた際に、スポイト等の補助具を使用せずに内容物を別の容器に移すことができ、衛生的に処分することができる折畳み紙コップを提供する。【解決手段】胴部２と胴部の軸方向の一端を閉塞する底面とを有し、胴部の軸方向の他端が開口している折畳み紙コップ１である。この折畳み紙コップは、胴部の他端の一部には軸方向に延伸する凸片部５が形成されており、胴部の略半周に亘って設けられた単一の胴部横折線２１と、胴部横折線の両端から開口方向に伸長する２つの胴部縦折線２２ａと、胴部横折線の両端から底面まで胴部横折線２１に対し斜めにそれぞれ伸びる少なくとも２つの胴部斜折線２３ａ，２４ａとを備えている。【選択図】図１
0003173327.tif 000002
【実用新案登録請求の範囲】
【請求項１】
胴部と該胴部の軸方向の一端を閉塞する底面とを有し、該胴部の軸方向の他端が開口している紙コップであって、
前記胴部の前記他端の一部には前記軸方向に延伸する凸片部が形成されており、
前記胴部の略半周に亘って設けられた単一の胴部横折線と、該胴部横折線の両端から前記開口方向に伸長する２つの胴部縦折線と、前記胴部横折線の両端から前記底面まで該胴部横折線に対し斜めにそれぞれ伸びる少なくとも２つの胴部斜折線とを備えていることを特徴とする折畳み紙コップ。
【請求項２】
胴部と該胴部の軸方向の一端を閉塞する底面とを有し、該胴部の軸方向の他端が開口している紙コップであって、
前記胴部の前記他端の一部には前記軸方向に延伸する凸片部が形成されており、
前記胴部の略半周に亘って設けられた単一の胴部横折線と、該胴部横折線の両端から前記開口方向に伸長する２つの胴部縦折線と、前記胴部横折線の両端から前記底面まで該胴部横折線に対し斜めにそれぞれ伸びる少なくとも２つの胴部斜折線と、前記２つの胴部縦折線の略中間となる２つの位置にそれぞれ設けられ、一端が前記開口に現れる２つの開口縦折線とを備えていることを特徴とする折畳み紙コップ。
【請求項３】
胴部と該胴部の軸方向の一端を閉塞する底面とを有し、該胴部の軸方向の他端が開口している紙コップであって、
前記胴部の前記他端の一部には前記軸方向に延伸する凸片部が形成されており、
前記胴部の略半周に亘って設けられた単一の胴部横折線と、該胴部横折線の両端から前記開口方向に伸長する２つの胴部縦折線と、前記胴部横折線の両端から前記底面まで該胴部横折線に対し斜めにそれぞれ伸びる少なくとも２つの胴部斜折線とを備えており、
前記凸片部は、一方の前記胴部縦折線に対して線対称に形成されていることを特徴とする折畳み紙コップ。
【請求項４】
胴部と該胴部の軸方向の一端を閉塞する底面とを有し、該胴部の軸方向の他端が開口している紙コップであって、
前記胴部の前記他端の一部には前記軸方向に延伸する凸片部が形成されており、
前記胴部の略半周に亘って設けられた単一の胴部横折線と、該胴部横折線の両端から前記開口方向に伸長する２つの胴部縦折線と、前記胴部横折線の両端から前記底面まで該胴部横折線に対し斜めにそれぞれ伸びる少なくとも２つの胴部斜折線とを備えており、
前記胴部には、前記軸方向に伸長する細長の透明窓が設けられていることを特徴とする折畳み紙コップ。
【請求項５】
胴部と該胴部の軸方向の一端を閉塞する底面とを有し、該胴部の軸方向の他端が開口している紙コップであって、
前記胴部の前記他端の一部には前記軸方向に延伸する凸片部が形成されており、
前記胴部の略半周に亘って設けられた単一の胴部横折線と、該胴部横折線の両端から前記開口方向に伸長する２つの胴部縦折線と、前記胴部横折線の両端から前記底面まで該胴部横折線に対し斜めにそれぞれ伸びる少なくとも２つの胴部斜折線と、前記２つの胴部縦折線の略中間となる２つの位置にそれぞれ設けられ、一端が前記開口に現れる２つの開口縦折線とを備えており、
前記凸片部は、一方の前記胴部縦折線に対して線対称に形成され、
前記胴部には、前記軸方向に伸長する細長の透明窓が設けられていることを特徴とする折畳み紙コップ。
【考案の詳細な説明】
【技術分野】
【０００１】
本考案は、例えば、携帯用の紙コップや尿検査で用いる採尿用コップ等の折畳み紙コップに関する。
【背景技術】
【０００２】
尿検査は労働安全衛生法に定める定期健康診断でも必須項目（尿糖）であるなど、健康診断の一般的な検査項目である。尿検査にあたり、検体の採取、すなわち採尿は病院等で行われるほか、企業での定期健康診断及び学生定期健康診断等の団体健診並びに遠隔検診（郵送検診）においては、あらかじめ採尿用容器、スポイト及び採取容器からなる採尿セットが配布され、自宅等で尿を採取することによる事前採尿（自宅採尿）が行われている。
【０００３】
上述のような事前採尿（自宅採尿）で用いる採尿セットはコンパクトに構成することが必要であり、従ってこれに包含される採尿用容器も配布時はコンパクトに構成する必要がある。この種の採尿用容器として、特許文献１には、プラスチック製の採尿容器が記載されている。同様に、特許文献２には、紙一枚から折畳まれる採尿用紙コップが記載されている。
【先行技術文献】
【特許文献】
【０００４】
【特許文献１】特開２０１０−１２７７７６号公報
【特許文献２】特開２００７−３３４２１号公報
【考案の概要】
【考案が解決しようとする課題】
【０００５】
しかしながら、特許文献１に記載の採尿容器はプラスチック製品であることから、ごみ分別収集の対象となる。それゆえ、使用した採尿容器は、ごみ分別収集前に洗浄する必要があり、衛生的な問題を有していた。また、特許文献１に記載の採尿容器は、採尿容器から採取容器に尿を移すために、スポイト等の補助具を用いる必要があり、手間がかかり煩わしいという問題があった。
【０００６】
さらに、特許文献２に記載の採尿用紙コップは、採尿時に一枚の紙を折畳んでコップを作製することが要求されるため、折畳みに手間がかかり、採尿に手間取るという問題があった。
【０００７】
本考案は上述した点に鑑み案出されたもので、その目的は、展開状態から折畳み状態、又は折畳み状態から展開状態への移行を簡単にすばやく行うことができる折畳み紙コップを提供することにある。
【０００８】
本考案の他の目的は、採尿容器として用いられた際に、スポイト等の補助具を使用せずに内容物を別の容器に移すことができ、使用後には衛生的に処分することができる折畳み紙コップを提供することにある。
【課題を解決するための手段】
【０００９】
上記課題を解決するため、本考案の折畳み紙コップは、胴部と胴部の軸方向の一端を閉塞する底面とを有し、胴部の軸方向の他端が開口している紙コップであって、胴部の他端の一部には軸方向に延伸する凸片部が形成されており、胴部の略半周に亘って設けられた単一の胴部横折線と、胴部横折線の両端から開口方向に伸長する２つの胴部縦折線と、胴部横折線の両端から底面まで胴部横折線に対し斜めにそれぞれ伸びる少なくとも２つの胴部斜折線とを備えている。
【００１０】
本考案の折畳み紙コップは、紙コップを簡単に折畳み又は展開可能とするための胴部横折線、胴部縦折線及び胴部斜折線を備えている。折畳み時には、胴部横折線を谷折りすると共に胴部縦折線を山折りすることにより、底面が胴部側に引き上げられつつ、胴部横折線より開口側の胴部が平面状に折り畳まれる。そして、胴部斜折線が山折りされ、底面が平面状に折り畳まれた胴部と平行な位置まで引き上げられることにより、コンパクトな折畳み形状となる。他方、展開時には、胴部横折線の谷折りを戻すことにより、折り畳まれた胴部の平面に対して底面が垂直に配置され、胴部縦折線の山折りを戻すことにより、折り畳まれた胴部が立体状となり、紙コップとして使用できる展開状態となる。
【００１１】
また、本考案の折畳み紙コップは、胴部の他端の一部には軸方向に延伸する凸片部が形成されている。それゆえ、折畳み紙コップを採尿容器として用いた際には、この凸片部が内容物、すなわち採尿後の尿を直接採取容器に注ぐための注ぎ口となる。また、紙コップ使用時には持ち手とすることができるなど、取り扱いが便利である。
【００１２】
また、２つの胴部縦折線の略中間となる２つの位置にそれぞれ設けられ、一端が開口に現れる２つの開口縦折線を備えていることも好ましい。展開時に開口縦折線を山折りすることにより、平面状に折り畳まれていた開口が大きく開き、安定した展開状態が維持される。
【００１３】
また、凸片部は、一方の胴部縦折線に対して線対称に形成されていることも好ましい。内容物の注ぎ口となる凸片部は胴部縦折線で線対称に山折りされることにより、Ｖ字の樋状となる。それゆえ、山折りされた胴部縦折線に沿って内容物、すなわち採尿した尿を採取容器に簡単に移すことができる。
【００１４】
さらに、胴部には、軸方向に伸長する細長の透明窓が設けられていることも好ましい。胴部に設けられた透明窓よりコップ内部の状態を確認できるため、開口部からコップ内部をのぞき込まなくとも、内容物の有無を把握することができる。また、紙コップは胴部が透明でないことから、内容物の液位を把握することが難しいが、細長の透明窓からコップ内容物の液位を把握することができる。
【考案の効果】
【００１５】
本考案によれば、以下のような優れた効果を有する折畳み紙コップを提供することができる。
（１）展開状態から折畳み状態、または折畳み状態から展開状態への移行を簡単にすばやく行うことができる。
（２）コップ内容物、すなわち採尿容器として用いた際には採取した尿を、スポイト等の補助具を用いずに簡単に別の容器に移すことができる。また、スポイト等の補助具を必要としないことから、採尿セットにかかるコストを抑えることができる。
（３）使用後は紙ごみとして廃棄することができ、衛生的である。
（４）胴部に設けられた細長の透明窓よりコップ内部の状態を確認することができるため、内容物の有無及び内容物の液位を容易に把握することができる。
【図面の簡単な説明】
【００１６】
【図１】本考案の第１の実施形態に係る折畳み紙コップの展開状態を示す斜視図である。
【図２】図１に示す折畳み紙コップの展開状態を示す正面図である。
【図３】図１に示す折畳み紙コップの展開状態を示す側面図である。
【図４】図１に示す折畳み紙コップの胴部を構成するシートを示す正面図である。
【図５】図１に示す折畳み紙コップの折畳み状態を示す正面図である。
【図６】本考案の第２の実施形態に係る折畳み紙コップの展開状態を示す斜視図である。
【図７】図６に示す折畳み紙コップの胴部を構成するシートを示す正面図である。
【考案を実施するための形態】
【００１７】
以下、図１〜図５を参照しつつ本考案の第１の実施形態に係る折畳み紙コップ１について説明する。
【００１８】
図１〜図３に示すように、本実施形態に係る折畳み紙コップ１は、胴部２と、胴部２の軸方向の一端を閉塞する底面３とを備えており、胴部２の軸方向の他端には開口４が形成されている。胴部２の開口４側の端部の一部には、軸方向に延伸する凸片部５が設けられている。胴部２には、折畳み紙コップ１を容易に折畳み又は展開可能とするための胴部横折線２１、２つの胴部縦折線２２ａ及び２２ｂ並びに４つの胴部斜折線２３ａ、２３ｂ、２４ａ及び２４ｂが備えられている。
【００１９】
まず、図１〜図３を参照しつつ、本実施形態における折畳み紙コップ１の胴部２について説明する。本実施形態における胴部２には、胴部２の外周の略半周に亘って１つの胴部横折線２１が設けられている。折畳み時には、この胴部横折線２１が谷折りされることにより、底面３が胴部横折線２１を軸として略９０度回転し、胴部２側に持ち上げられる。
【００２０】
さらに、この胴部横折線２１の両端からは夫々３つの折線が配置されている。うち１つは、胴部横折線２１の両端から開口４方向に伸長する胴部縦折線２２ａ、２２ｂである。この胴部縦折線２２ａ、２２ｂは、胴部横折線２１の両端から開口４まで、胴部２の母線に略平行方向に設けられている。折畳み紙コップ１を折畳む際には、胴部縦折線２２ａ、２２ｂが山折りされることにより、折畳み紙コップ１の胴部２が平面状に折り畳まれる。
【００２１】
胴部横折線２１の両端から配置された夫々３つの折線のうち、残りの２つは、胴部横折線２１の両端から底面３まで胴部横折線２１に対し斜めにそれぞれ伸びる胴部斜折線２３ａ、２３ｂ、２４ａ及び２４ｂである。胴部横折線２１の両端から底面３に向けて胴部横折線２１の内側方向に斜めに配置される、すなわち胴部斜折線（内）２３ａ、２３ｂと、胴部横折線２１の外側方向に斜めに配置される、すなわち胴部斜折線（外）２４ａ、２４ｂとが設けられている。折畳み紙コップ１を折畳む際には、胴部斜折線２３ａ、２３ｂ、２４ａ及び２４ｂが山折りされることにより、底面３が平面状に折り畳まれた胴部２の上に略平行に配置される。本実施例においては、胴部斜折線として胴部斜折線（内）２３ａ、２３ｂ及び胴部斜折線（外）２４ａ、２４ｂを備えているが、胴部斜折線（内）２３ａ、２３ｂ又は胴部斜折線（外）２４ａ、２４ｂのみを備えることもできる。
【００２２】
なお、本実施形態においては、図３に示すように、胴部横折線２１の線端と、胴部縦折線２２ａの線端と、胴部斜折線２３ａ及び２４ａ（又は胴部斜折線２３ｂ及び２４ｂ）の線端とは１点で交わっている。しかし、折線が１点で交わることにより力が集中し、胴部２を構成する紙に孔や破れを生じることを避けるため、交点となる位置まで折線を配置しない等、かかる力を分散させるように折線を配置することもできる。また、一部の折線のみが交点を有するように配置することも可能である。
【００２３】
図１〜図３に示すように本実施形態における胴部２の他端の一部には軸方向に延伸する凸片部５が形成されている。凸片部５は内容物を直接別の容器に注ぐための注ぎ口とすることができるほか、使用時には持ち手とすることもできる。凸片部５は、開口４のどの位置にあってもよいが、図１〜図３に示すように胴部縦折線２２ａ（又は２２ｂ）に対して線対称に形成されていることが好ましい。内容物の注ぎ口となる凸片部５が胴部縦折線２２ａ（又は２２ｂ）で線対称に山折りされることにより、Ｖ字の樋状となり、山折りされた胴部縦折線２２ａ（又は２２ｂ）に沿って内容物、すなわち、採尿した尿等を直接別の容器に簡単に移すことができる。
【００２４】
また、図１及び図２に示すように、本実施形態にかかる折畳み紙コップ１の胴部２には、展開時に開口４を大きく開き、安定して維持するための開口縦折線２５ａ、２５ｂを設けることができる。開口縦折線２５ａ、２５ｂは、２つの胴部縦折線２１ａ、２１ｂの略中間の位置となる２つの位置にそれぞれ設けられ、一端が開口４に現れるように構成されている。また、この開口縦折線２５ａ、２５ｂは、胴部縦折線２２ａ、２２ｂと同様に、胴部２の母線に略平行方向に設けられる。さらに、開口縦折線２５ａ、２５ｂは、胴部縦折線２２ａ、２２ｂのように、胴部横折線２１まで達していてもよいが、図１〜図２に示すように胴部横折線２１まで達さずに、開口４の端部のみで留まる長さでもよい。折り畳まれていた折畳み紙コップ１を展開する際に、開口縦折線２５ａ、２５ｂを山折りすることにより、平面状に折り畳まれていた開口４を大きく開き、安定した展開状態を維持することができる。
【００２５】
本実施形態における胴部２は、図４に示すように、シート２０から構成されている。本実施形態における折畳み紙コップ１の胴部２はテーパー状であることから、シート２０の形状は略扇形状となっているが、折畳み紙コップ１の胴部２は円柱状でもよく、その場合のシート２０の形状は、略長方形状となる。また、シート２０の開口４側となる端部には、凸片部５が設けられ、胴部縦折線２２ａに対して線対称に形成されている。シート２０には、上述したように、１つの胴部横折線２１、２つの胴部縦折線２２ａ及び２２ｂ、４つの胴部斜折線２３ａ、２３ｂ、２４ａ及び２４ｂ並びに２本の開口縦折線２５ａ、２５ｂの折線が配置されている。これらの折線は胴部２の所定の位置において、谷折り又は山折りといった所定方向への折り曲げができるように加工されていればよく、特に限定されないが、スジ入れ加工、プレス折線等の加工が施されていることが好ましい。
【００２６】
本実施形態における折畳み紙コップ１を構成するシート２０及び底面３の素材は、木材又は非木材植物等から製造される紙が選択され、耐水性を付与するために、少なくともコップの内側となる面にポリエチレンやポリプロピレン等の樹脂フィルムが積層されているものが好ましい。このように、折畳み紙コップ１は、主に木材等による紙素材からなることから、使用後にはそのまま燃えるごみとして処分することができる。
【００２７】
本実施形態における折畳み紙コップ１は、以下のようにして製造される。まず、上述の略扇形状のシート２０を凸片部５を上にしたテーパー状に丸めた後、シート２０の左右端を接着材等で接着することにより胴部２が形成される。次に、底面３を胴部２に嵌めこんで胴部２の軸方向の一端を閉塞し、胴部２の底面側端を内側に折り込む等して底面３が胴部２に係止され、折畳み紙コップ１が製造される。
【００２８】
本実施形態の折畳み紙コップ１を折畳む際には、胴部横折線２１を谷折りすると共に胴部縦折線２２ａ、２２ｂを山折りすることにより、底面３が胴部横折線２１に沿って略９０度回転し、胴部２側に持ち上げられると共に、胴部横折線２１より開口４方向の胴部２が平面状に折り畳まれる。さらに、胴部斜折線２３ａ、２３ｂ、２４ａ及び２４ｂを山折りすることにより、底面３が平面状に折り畳まれた胴部２の上に略平行な位置まで引き上げられることにより、図５に示すようなコンパクトな折畳み形状となる。このように、所定の位置の折線を折るのみで、立体的な紙コップをコンパクトに折畳むことができる。
【００２９】
他方、折畳みされた折畳み紙コップ１を展開する際には、胴部横折線２１の谷折りを戻すことにより、折り畳まれた胴部２の平面に対して垂直な位置に底面３が戻る。次に、胴部縦折線２２ａ、２２ｂの山折りを戻すと共に開口縦折線２５ａ、２５ｂを山折りすることにより、平面状に折り畳まれていた胴部２が立体状となり、開口４が大きく開いて安定した展開状態が維持される。このように、折り曲げられていた折線を戻すと共に開口縦折線２５ａ、２５ｂを折り曲げるのみで、折り畳まれていた折畳み紙コップ１を展開させ、紙コップとして使用することができる。
【００３０】
本実施形態にかかる折畳み紙コップ１は、尿検査で用いる採尿用の紙コップとして使用することができる。すなわち、図５のように折り畳んだ形状とした折畳み紙コップ１と検査機関に提出する採取容器とを封筒等に入れてコンパクトな採尿セットとして、被検者に郵送又は配布することができる。本実施形態の折畳み紙コップ１からなる採尿セットは、従来の採尿セットのように、スポイト等の補助具を必要としないことから、コストを抑えることができる。被検者は、本実施形態の折畳み紙コップ１を折畳み状態から容易に展開して採尿容器として使用することができ、採尿時には凸片部５を持ち手としても使用することができる。採尿後に、採取容器にコップ内の尿を移す際には、凸片部５を注ぎ口として、直接採取容器に移すことができる。また、使用した折畳み紙コップ１は、そのまま燃えるごみとして、処分することができる。
【００３１】
本実施形態にかかる折畳み紙コップ１のその他の用途としては、携帯用の紙コップとして使用することもできる。すなわち、旅行セットや防災時等の非常時持出袋等の１アイテムとして、折り畳んだ形状として折畳み紙コップ１を使用することができる。スペースを取らず、コンパクトに収納することができると共に、簡単に展開してすぐに使用できるため、旅行先や非常時においても好適に使用され得る。
【００３２】
次に、図６〜図７を参照しつつ本考案の第２の実施形態に係る折畳み紙コップ１´について説明する。
【００３３】
図６に示すように、本実施形態に係る折畳み紙コップ１´は、胴部２´と、胴部２´の軸方向の一端を閉塞する底面３とを備えており、胴部２´の軸方向の他端には開口４が形成されている。胴部２の開口４側の端部の一部には、軸方向に延伸する凸片部５が設けられている。胴部２´には、折畳み紙コップ１´を容易に折畳み又は展開可能とするための胴部横折線２１、２つの胴部縦折線２２ａ及び２２ｂ並びに４つの胴部斜折線２３ａ、２３ｂ、２４ａ及び２４ｂが備えられている。さらに胴部２´には、胴部２´の軸方向に伸長する細長の透明窓６が設けられている。
【００３４】
本実施形態に係る折畳み紙コップ１´の胴部２´について説明する。図６に示すように、本実施形態の胴部２´には、胴部２´の軸方向に伸長する細長の透明窓６が設けられている。透明窓６は、折畳み紙コップ１´の内部の状態を確認できるような幅及び長さに形成されており、具体的には、例えば、幅約１ｍｍ〜５ｍｍ、長さ約１５ｍｍ〜５０ｍｍで形成される。透明窓６は胴部２´の母線に略平行方向に設けられ、設けられる位置は折畳み紙コップ１´の用途や透明窓６を設ける目的に合わせて選択され得る。また、透明窓６の形状は、例えば矩形形状や長円形状が選択される。さらに、透明窓６は透明のフィルムで覆われており、折畳み紙コップ１´の内容物は透明窓６から漏れることはないように形成されている。なお、折畳み紙コップ１´の胴部２´の構成に関するその他の説明は、上述した第１の実施形態の場合と同様であり、その作用効果も同様である。
【００３５】
本実施形態における胴部２´は、図７に示すように、シート２０´から構成されている。本実施形態のシート２０´には、胴部２´の母線に略平行方向に配置された細幅の透明窓６が形成されている。透明窓６は透明のフィルム等で覆われ、折畳み紙コップ１´の内容物が透明窓６から漏れることがないように形成される。具体的には、シート２０´の素材に、木材又は非木材植物等から製造される紙を選択した際には、耐水性付与のために樹脂フィルム等でその全体を被覆する必要があるところ、予め透明窓６の形状に穴を開けたシート２０´の内側面又は／及び外側面の全体にポリエチレンやポリプロピレン等の樹脂フィルムを積層することにより、シート２０´の耐水性付与と透明窓６へのフィルム被覆とを同時に行うことができる。また、透明窓６をポリエチレンやポリプロピレン等の樹脂フィルムで覆い、樹脂フィルムとシート２０´の透明窓６の周囲とを接着剤等で固着することにより、透明窓６へのフィルム被覆を行うことも可能である。さらに、折畳み紙コップ１´のシート２０´の構成に関するその他の説明は、上述した第１の実施形態の場合と同様であり、その作用効果も同様である。
【００３６】
本実施形態にかかる折畳み紙コップ１´は、尿検査で用いる採尿用の紙コップとして使用することができる。採尿量を確認するにあたっては、胴部２´に設けられた透明窓６よりコップ内の尿の液位を把握できるため、採尿量を容易に確認することができる。さらに、本実施形態に係る折畳み紙コップ１´の製造方法、使用方法及び用途に係るその他の説明は、上述した第１の実施形態と同様であり、その作用効果も同様である。
【００３７】
本考案は、上記の実施形態に限定されるものでなく、実用新案登録請求の範囲に記載された考案の要旨を逸脱しない範囲内での種々、設計変更した形態を技術的範囲に含むものである。  
【符号の説明】
【００３８】
１、１´  折畳み紙コップ
２、２´  胴部
２０、２０´  シート
２１  胴部横折線
２２ａ，２２ｂ  胴部縦折線
２３ａ，２３ｂ  胴部斜折線（内）
２４ａ，２４ｂ  胴部斜折線（外）
２５ａ，２５ｂ  開口縦折線
４  開口部
５  凸片部
６  透明窓
【図１】
0003173327.tif 000003
【図２】
0003173327.tif 000004
【図３】
0003173327.tif 000005
【図４】
0003173327.tif 000006
【図５】
0003173327.tif 000007
【図６】
0003173327.tif 000008
【図７】
0003173327.tif 000009